(57)【要約】【課題】  スクリーンの形状に応じて照明光を無駄なく利用することができ、液晶パネルを効率的に照明することができるプロジェクタを提供すること。【解決手段】  各色用のロッドインテグレータ２１ｃ，２３ｃ，２５ｃの断面形状すなわちそれらの射出ポートＯＰの輪郭を各色用の液晶ライトバルブ３１，３３，３５の被投射領域３１ｇの輪郭と相似にするとともに、これら射出ポートＯＰのサイズをそれぞれに対向する被投射領域３１ｇのサイズよりもわずかに大きくしている。この結果、ロッドインテグレータ２１ｃ，２３ｃ，２５ｃの射出ポートＯＰから射出される均一な照明光をロス無く均一性を損なうことなく各色の液晶ライトバルブ３１，３３，３５の被投射領域３１ｇに入射させることができる。つまり、透過型スクリーン部材１８の投射領域１８ａに高輝度で高品位の画像を投射することができる。【選択図】  図２
2005128234.tif 000002
【特許請求の範囲】
【請求項１】
所定形状の投射領域を有するスクリーンと、
入射端及び射出端を有するとともに、当該入射端に入射した光源光を、前記投射領域の前記所定形状に対して略相似な形状を有する前記射出端から、均一化した照明光として射出させるロッドインテグレータと、
前記ロッドインテグレータの前記射出端からの照明光を空間的に変調する光変調装置と、
前記光変調装置で変調された像光を前記スクリーンの前記投射領域に投射する投射光学系と、
を備えるプロジェクタ。
【請求項２】
前記スクリーンは、背面投射型のスクリーンであることを特徴とする請求項１記載のプロジェクタ。
【請求項３】
前記スクリーンに設けた前記投射領域の前記所定形状は、矩形の４隅のうち少なくとも１つを除去したものであることを特徴とする請求項１及び請求項２のいずれか一項記載のプロジェクタ。
【請求項４】
前記ロッドインテグレータは、八角形又は円形状の断面を有する柱状体であることを特徴とする請求項１から請求項３のいずれか一項記載のプロジェクタ。
【請求項５】
光源からの光源光を集光して前記ロッドインテグレータの前記入射端に入射させる光源光学系をさらに備えることを特徴とする請求項１から請求項４のいずれか一項記載のプロジェクタ。
【請求項６】
前記光変調装置は、前記ロッドインテグレータの前記射出端に近接して配置される透過型の液晶表示素子であることを特徴とする請求項１から請求項５のいずれか一項記載のプロジェクタ。
【請求項７】
前記光変調装置は、矩形の有効画素領域を有することを特徴とする請求項６記載のプロジェクタ。
【請求項８】
所定形状の投射領域を有するスクリーンと、
入射端及び射出端をそれぞれ有するとともに、当該入射端に入射した各色の光源からの各色の光源光を、前記投射領域の前記所定形状に対して相似な形状を有する前記射出端から、均一化した各色の照明光としてそれぞれ射出させる各色用のロッドインテグレータと、
前記各色用のロッドインテグレータの前記射出端からの各色の照明光をそれぞれ空間的に変調する各色用の光変調装置と、
前記各色用の光変調装置でそれぞれ変調された各色の像光を合成して射出する光合成光学系と、
前記光合成光学系を経て合成された像光を前記スクリーンの前記投射領域に投射する投射光学系と、
を備えるプロジェクタ。
【発明の詳細な説明】
【技術分野】
【０００１】
本発明は、液晶ライトバルブその他の光変調装置を用いて画像を投射するプロジェクタに関する。
【背景技術】
【０００２】
従来のプロジェクタとして、角棒状の導光体の一端側に対向して光源アレイを配置するとともにこの導光体の他端側に対向して液晶パネルを配置し、光源アレイからの光源光を導光体の一端に直接入射させ、導光体の他端からの照明光を液晶パネルに直接入射させるものが存在する（特許文献１参照）。
【特許文献１】特開２０００−１１２０３１号公報の図６，７
【発明の開示】
【発明が解決しようとする課題】
【０００３】
しかし、上記プロジェクタでは、導光体の断面形状を液晶パネルの表示領域の外形に合わせており、液晶パネル上の矩形の表示領域を照明することになるので、例えば液晶パネルの表示領域が矩形でその像の投射対象であるスクリーンが八角形である場合、液晶パネルの矩形領域の四隅に入射した照明光が有効に使用されず無駄になる。
【０００４】
そこで、本発明は、スクリーンの形状に応じて照明光を無駄なく利用することができ、液晶パネルを効率的に照明することができるプロジェクタを提供することを目的とする。
【課題を解決するための手段】
【０００５】
上記課題を解決するため、本発明に係る第１のプロジェクタは、（ａ）所定形状の投射領域を有するスクリーンと、（ｂ）入射端及び射出端を有するとともに、当該入射端に入射した光源光を、投射領域の所定形状に対して略相似な形状を有する射出端から、均一化した照明光として射出させるロッドインテグレータと、（ｃ）ロッドインテグレータの射出端からの照明光を空間的に変調する光変調装置と、（ｄ）光変調装置で変調された像光をスクリーンの投射領域に投射する投射光学系とを備える。ここで、「光変調装置」とは、透過型の液晶ライトバルブ、デジタルミラーデバイス（ＤＭＤ）等を含む概念である。
【０００６】
上記プロジェクタでは、ロッドインテグレータの射出端がスクリーンに設けた投射領域の所定形状に対して略相似な形状を有するので、光変調装置の画像表示領域のうち、スクリーンの投射領域に対応する領域（被投射領域）のみを効率的に照明することができる。つまり、光変調装置のうち投射像に直接対応する部分のみを十分な輝度及び均一性を有する照明光によってロス無く照明することができ、高輝度の画像を投射することができる。
【０００７】
また、本発明の具体的態様では、スクリーンが背面投射型のスクリーンである。つまり、投射光学系等に対して固定的に設置される背面投射型のスクリーンの投射領域の形状を任意に設定した場合において、かかる投射領域に高輝度の画像を投射することができる。
【０００８】
また、本発明の別の具体的態様では、スクリーンに設けた投射領域の所定形状が矩形の４隅のうち少なくとも１つを除去したものである。この場合、スクリーンをコーナの少ない丸形のものにできるとともに、光変調装置のうち投射領域に対応する領域（被投射領域）の外側である矩形の４隅のいずれかに入射した照明光が無駄になることを防止できる。
【０００９】
また、本発明のさらに別の具体的態様では、ロッドインテグレータが、八角形又は円形状の断面を有する柱状体である。この場合、スクリーンの投射領域をロッドインテグレータの断面に対応する八角形又は円形状とすることができる。なお、ここで「円形状」とは、単なる円形に限らず楕円、長円等の曲線で囲まれた形状を含むものとする。
【００１０】
また、本発明のさらに別の具体的態様では、光源からの光源光を集光してロッドインテグレータの入射端に入射させる光源光学系をさらに備える。この場合、光源の個数、形状、寸法等の任意性が高まり、光源光の強度や利用効率を高めることができる。
【００１１】
また、本発明のさらに別の具体的態様では、光変調装置がロッドインテグレータの射出端に近接して配置される透過型の液晶表示素子である。この場合、ロッドインテグレータから射出される照明光を効率よく利用することができ、液晶表示素子の照明の均一性を高めることができる。
【００１２】
また、本発明のさらに別の具体的態様では、光変調装置が矩形の有効画素領域を有する。この場合、光変調装置を既製の規格品とすることができ、光変調装置の有効画素領域のうち矩形の４隅に入射した照明光が無駄になることを防止できる。
【００１３】
また、本発明に係る第２のプロジェクタは、（ａ）所定形状の投射領域を有するスクリーンと、（ｂ）入射端及び射出端をそれぞれ有するとともに、当該入射端に入射した各色の光源からの各色の光源光を、投射領域の所定形状に対して相似な形状を有する射出端から、均一化した各色の照明光としてそれぞれ射出させる各色用のロッドインテグレータと、（ｃ）各色用のロッドインテグレータの射出端からの各色の照明光をそれぞれ空間的に変調する各色用の光変調装置と、（ｄ）各色用の光変調装置でそれぞれ変調された各色の像光を合成して射出する光合成光学系と、（ｅ）光合成光学系を経て合成された像光をスクリーンの投射領域に投射する投射光学系とを備える。
【００１４】
上記プロジェクタでは、各色用のロッドインテグレータの射出端がスクリーンに設けた投射領域の所定形状に対して略相似な形状を有するので、各色用の光変調装置の画像表示領域のうち、スクリーンの投射領域に対応する領域のみをそれぞれ効率的に照明することができる。つまり、各色用の光変調装置のうち投射像に直接対応する部分のみを十分な輝度及び均一性を有する各色の照明光によってそれぞれロス無く照明することができ、高輝度のカラー画像を投射することができる。
【発明を実施するための最良の形態】
【００１５】
〔第１実施形態〕
図１（ａ）及び（ｂ）は、本発明の第１実施形態に係るプロジェクタの構造を概念的に説明する部分破断正面図及び側面図である。
【００１６】
このプロジェクタ１０は、背面投射によって画像を表示するリアプロジェクションタイプの装置であり、筐体であるケース１２の底部にプロジェクタ本体１４を備え、ケース１２内の背面側上部に反射ミラー１６を備え、ケース１２正面に透過型スクリーン部材１８を備える。プロジェクタ本体１４から射出された像光は、光軸ＯＡ１を中心として後方斜め上に進行し、反射ミラー１６で水平に延びる光軸ＯＡ２を中心として正面側に折り曲げられて長円形の輪郭を有する透過型スクリーン部材１８に入射する。この透過型スクリーン部材１８は、その内側にその略全面を占める投射領域１８ａを有している。この投射領域１８ａは、プロジェクタ本体１４からの像光を投射するための領域であり、透過型スクリーン部材１８の輪郭の内側に沿って延びる８本の線分からなる輪郭に囲まれた八角形の領域となっている。なお、これらプロジェクタ本体１４、反射ミラー１６、及び透過型スクリーン部材１８は、不図示の手段によってケース１２内に位置決めして固定されている。
【００１７】
図２は、図１に示すプロジェクタ本体１４の構造を概念的に説明するブロック図である。このプロジェクタ本体１４は、照明装置２０と、光変調装置３０と、投射レンズ４０と、制御装置５０とを備える。ここで、照明装置２０は、Ｂ光照明装置２１と、Ｇ光照明装置２３と、Ｒ光照明装置２５と、光源駆動装置２７とを有する。また、光変調装置３０は、３つの液晶ライトバルブ３１，３３，３５と、光合成光学系であるクロスダイクロイックプリズム３７と、各液晶ライトバルブ３１，３３，３５に駆動信号を出力する素子駆動装置３８とを有する。
【００１８】
図３（ａ）は、図２に示すプロジェクタ本体１４の外観を示す平面図であり、図３（ｂ）は、その側面図である。各色光照明装置２１，２３，２５や液晶ライトバルブ３１，３３，３５は、シャーシ６１中の適所に固定されており、投射レンズ４０は、シャーシ６１の一側面に埋め込むように固定されている。また、図１に示す光源駆動装置２７、素子駆動装置３８、及び制御装置５０は、シャーシ６１の上面に対向して設けた回路基板６２上に実装されている。
【００１９】
図２に戻って、Ｂ光照明装置２１は、Ｂ光用光源ユニット２１ａと、ロッドインテグレータ２１ｃとを備える。このうち、Ｂ光用光源ユニット２１ａは、固体光源と呼ばれる複数のＬＥＤ２１ｆを回路基板２１ｇ上に適当な２次元的配列（例えばマトリックス状配列）で取り付けたものからなり、各ＬＥＤ２１ｆの正面にビーム整形用のレンズエレメントを個別に配置した集光レンズアレイ２１ｂを有している。各ＬＥＤ２１ｆは、サイズが規格化された既製品であり、３原色のうち青（Ｂ）の範疇に含まれるＢ光をそれぞれ発生する。ＬＥＤ２１ｆから取り出されたＢ光、つまり第１光源光ＬＢは、集光レンズアレイ２１ｂを経た後、断面が八角形のロッドインテグレータ２１ｃの入射端すなわち入射ポートＩＰに入射する。この際、各ＬＥＤ２１ｆからのＢ光は、集光レンズアレイ２１ｂを構成する各レンズエレメントによってそれぞれ適宜発散するとともに所定位置に集まる円形断面のビームにされる。つまり、各ＬＥＤ２１ｆからのＢ光は、ロッドインテグレータ２１ｃに設けた矩形の入射ポートＩＰに全体として集められ、この入射ポートＩＰに重畳した状態でそれぞれ漏れなく入射する。ロッドインテグレータ２１ｃを経てその射出端である射出ポートＯＰから射出した第１照明光は、この射出ポートＯＰに対向配置された第１偏光フィルタ２６ａを介して光変調装置３０のうちＢ光用の液晶ライトバルブ３１に入射する。これにより、液晶ライトバルブ３１上の八角形の被照射領域がＢ光によって均一に照明される。以上において、ＬＥＤ２１ｆの頂部レンズ、及び集光レンズアレイ２１ｂは、第１光源光ＬＢを集光してロッドインテグレータ２１ｃに入射させる光源光学系を構成する。
【００２０】
図４は、Ｂ光用のロッドインテグレータ２１ｃの形状を説明する斜視図である。図からも明らかなように、ロッドインテグレータ２１ｃは、ガラス材料を八角柱状に加工した棒状の部材であり、見方をかえれば、四角柱の側面において四隅の部分を除去した形状を有する。具体的に説明すると、ロッドインテグレータ２１ｃは、互いに平行な入射ポートＩＰと射出ポートＯＰとに相当する一対の端面を備える。また、入射ポートＩＰと射出ポートＯＰとの間のブロック体の周囲には、平坦面からなる８つの側面ＳＳを備え、結果して軸方向に垂直に八角形の断面を有する。このロッドインテグレータ２１ｃにおいて、入射ポートＩＰかから内部に入射した光源光は、８つの側面ＳＳの内側で全反射を繰返しつつ、均一に重畳された照明光として射出ポートＯＰから射出される。
【００２１】
図２に戻って、Ｇ光照明装置２３は、Ｇ光用光源ユニット２３ａと、ロッドインテグレータ２３ｃとを備える。このうち、Ｇ光用光源ユニット２３ａは、Ｂ光用光源ユニット２１ａと同様の構造を有するが、回路基板２３ｇ上の各ＬＥＤ２３ｆが、３原色のうち緑（Ｇ）の範疇に含まれるＧ光をそれぞれ発生し、このＧ光からなる第２光源光ＬＧは、集光レンズアレイ２３ｂを経て断面が八角形のロッドインテグレータ２３ｃの入射ポートＩＰに漏れなく重畳して入射する。このロッドインテグレータ２３ｃを経た第２照明光ＬＧは、波面分割及び重畳によってロス無く均一化されており、その射出ポートＯＰに対向配置された第１偏光フィルタ２６ｂを介して光変調装置３０のうちＧ光用の液晶ライトバルブ３３に入射する。これにより、液晶ライトバルブ３３上の八角形の被照射領域がＧ光によって均一に照明される。なお、Ｇ光用のロッドインテグレータ２３ｃも、図４に示すＢ光用のロッドインテグレータ２１ｃと同様の形状を有する。
【００２２】
Ｒ光照明装置２５は、Ｒ光用光源ユニット２５ａと、ロッドインテグレータ２５ｃとを備える。このうち、Ｒ光用光源ユニット２５ａは、Ｂ光用光源ユニット２１ａと同様の構造を有するが、回路基板２５ｇ上の各ＬＥＤ２５ｆが、３原色のうち赤（Ｒ）の範疇に含まれるＲ光をそれぞれ発生し、このＲ光からなる第３光源光ＬＲは、集光レンズアレイ２５ｂを経て断面が八角形のロッドインテグレータ２５ｃの入射ポートＩＰに漏れなく重畳して入射する。このロッドインテグレータ２５ｃを経た第３照明光ＬＲは、波面分割及び重畳によってロス無く均一化されており、その射出ポートＯＰに対向配置された第１偏光フィルタ２６ｃを介して光変調装置３０のうちＲ光用の液晶ライトバルブ３５に入射する。これにより、液晶ライトバルブ３５上の八角形の被照射領域がＲ光によって均一に照明される。なお、Ｒ光用のロッドインテグレータ２５ｃも、図４に示すＢ光用のロッドインテグレータ２１ｃと同様の形状を有する。
【００２３】
各液晶ライトバルブ３１，３３，３５は、光透過型の光変調装置であり、外部から入力された画像信号に応じて照明光の偏光方向を画素単位で切替えることにより、各液晶ライトバルブ３１，３３，３５に入射した各色光照明装置２１，２３，２５からの照明光をそれぞれ２次元的に変調する。各液晶ライトバルブ３１，３３，３５の入射側には、その入射面に対向して第１偏光フィルタ２６ａ，２６ｂ，２６ｃが配置されており、各液晶ライトバルブ３１，３３，３５を特定方向の偏光成分によって照明することができる。また、各液晶ライトバルブ３１，３３，３５の射出側には、その射出面に対向して第２偏光フィルタ３６ａ，３６ｂ，３６ｃが配置されており、各液晶ライトバルブ３１，３３，３５を通過した特定方向に直交する方向の偏光成分のみを読み出すことができる。各液晶ライトバルブ３１，３３，３５にそれぞれ入射した各色光照明装置２１，２３，２５からの照明光は、これら液晶ライトバルブ３１，３３，３５によってそれぞれ２次元的に変調される。各液晶ライトバルブ３１，３３，３５を通過した各色の像光は、クロスダイクロイックプリズム３７で合成されて、その一側面から射出する。クロスダイクロイックプリズム３７から射出した合成光の像は、投射光学系である投射レンズ４０に入射して透過型スクリーン部材１８の投射領域１８ａに適当な拡大率で投影される。つまり、プロジェクタ１０によって、各液晶ライトバルブ３１，３３，３５に形成された各色Ｂ，Ｇ，Ｒの画像を合成したカラー画像が、動画又は静止画としてスクリーン上における八角形の投射領域１８ａに投射される。
【００２４】
図５は、Ｂ光用の液晶ライトバルブ３１の正面図である。この液晶ライトバルブ３１は、本体部分３１ａを枠体３１ｂに嵌め込んで固定したものであり、枠体３１ｂの上部からは、画像信号を本体部分３１ａに送るためのケーブルＣＡが延びている。正面に露出する本体部分３１ａの周囲には、突起した縁部分３１ｃが設けられており、粘着剤や接着剤によって第１偏光フィルタ２６ａを固定することができる。また、図示を省略しているが、液晶ライトバルブ３１の裏面側にも、同様にして第２偏光フィルタ３６ａ（図２参照）を貼り付けることができる。なお、第１偏光フィルタ２６ａや第２偏光フィルタ３６ａ等は、本体部分３１ａの表面に直接貼り付けることもできる。また、ここでは説明を省略するが、他の色用の液晶ライトバルブ３３，３５も、このＢ光用の液晶ライトバルブ３１と同様の構造を有する。
【００２５】
図６は、図２等に示す液晶ライトバルブ３１とロッドインテグレータ２１ｃとの配置関係を説明する図である。液晶ライトバルブ３１の本体部分３１ａおいては、例えば縦寸法の約１割程度の縁部分を除いた矩形の中央部分が有効画素領域３１ｆとなっている。つまり、中央の有効画素領域３１ｆに入射した照明光のみが変調されるので、その外側に入射した照明光は無駄になる。さらに、有効画素領域３１ｆの画素の全てが透過型スクリーン部材１８の投射領域１８ａに投射されるのではなく、この投射領域１８ａを逆に投影した八角形の被投射領域３１ｇの画素のみが投射領域１８ａに投射される。つまり、被投射領域３１ｇに入射した照明光のみが画像の形成に利用され、残りは無駄になるだけでなく迷光の原因ともなるので、照明効率の観点からは、ロッドインテグレータ２１ｃから射出された照明光を被投射領域３１ｇに全て入射させることが望ましい。このため、ロッドインテグレータ２１ｃの射出ポートＯＰの形状を液晶ライトバルブ３１の被投射領域３１ｇの形状に対して相似としている。
【００２６】
一方、正確に被投射領域３１ｇにのみ照明光を入射させることは困難であり、液晶ライトバルブ３１に対するロッドインテグレータ２１ｃのアライメント作業の負担も増大する。そこで、ロッドインテグレータ２１ｃの射出ポートＯＰのサイズを被投射領域３１ｇよりもわずかに大きくする。ただし、照明光の無駄をなるべく少なくするべく、射出ポートＯＰのサイズを本体部分３１ａの露出部分からはみ出さない程度に小さくする。なお、ロッドインテグレータ２１ｃ先端の射出ポートＯＰは、第１偏光フィルタ２６ａを介してであるが本体部分３１ａに対して極めて近接した状態で配置されるので、射出ポートＯＰから射出した照明光は、ほとんど拡散することなく本体部分３１ａに入射し、有効画素領域３１ｆを効率的かつ均一に照明することができる。
【００２７】
以上は、液晶ライトバルブ３１に対するロッドインテグレータ２１ｃの形状及び配置の説明であったが、他の液晶ライトバルブ３３，３５に対するロッドインテグレータ２３ｃ，２５ｃの形状及び配置も上記と同様であり、両ロッドインテグレータ２３ｃ，２５ｃから射出した照明光をほとんど無駄なく両液晶ライトバルブ３３，３５の被投射領域（透過型スクリーン部材１８の投射領域１８ａに投射されるべき領域）に入射させることができ、これらを均一に照明することができる。
【００２８】
以下、図１等に示すプロジェクタ１０の動作について説明する。照明装置２０に設けたＢＧＲ光照明装置２１，２３，２５からの各色の照明光は、対応する液晶ライトバルブ３１，３３，３５にそれぞれ入射する。各液晶ライトバルブ３１，３３，３５は、外部からの画像信号に応じて動作する素子駆動装置３８によって変調されて２次元的屈折率分布を有しており、各色の照明光を２次元空間的に画素単位で変調する。このように、各液晶ライトバルブ３１，３３，３５で変調された照明光すなわち像光は、クロスダイクロイックプリズム３７で合成された後に投射光学系である投射レンズ４０に入射して透過型スクリーン部材１８に投影される。この場合、各色用のロッドインテグレータ２１ｃ，２３ｃ，２５ｃの断面形状すなわちそれらの射出ポートＯＰの輪郭を各色用の液晶ライトバルブ３１，３３，３５における被投射領域３１ｇの輪郭と相似にするとともに、これら射出ポートＯＰのサイズをそれぞれに対向する被投射領域３１ｇのサイズよりもわずかに大きくしている。この結果、ロッドインテグレータ２１ｃ，２３ｃ，２５ｃの射出ポートＯＰから射出される均一な照明光をロス無く均一性を損なうことなく各色の液晶ライトバルブ３１，３３，３５の被投射領域３１ｇに入射させることができる。つまり、透過型スクリーン部材１８の投射領域１８ａに高輝度で高品位の画像を投射することができる。
【００２９】
〔第２実施形態〕
以下、本発明の第２実施形態に係るプロジェクタについて説明する。第２実施形態のプロジェクタは、第１実施形態のプロジェクタを変形したものであるので、共通分についての説明は省略し、異なる部分についてのみ説明する。
【００３０】
図７（ａ）及び（ｂ）は、第２実施形態のプロジェクタの構造を説明する部分破断正面図及び側面図である。このプロジェクタ１１０では、プロジェクタ本体１４や反射ミラー１６の姿勢の調節によって、プロジェクタ本体１４から射出された像光が、光軸ＯＡ１を中心として後方斜め上に進行し、反射ミラー１６で傾斜した光軸ＯＡ２を中心として正面側に折り曲げられて透過型スクリーン部材１８に斜めに入射する。この結果、透過型スクリーン部材１８の投射領域１８ａのうち、上側における投射像の拡大率が大きくなり、下側における投射像の拡大率が小さくなるので、投射像に台形歪みが発生する。これを相殺すべく、液晶ライトバルブ３１，３３，３５上における被投射領域を上記台形歪みに対応して変形するとともに、ロッドインテグレータ１２１ｃ，１２３ｃ，１２５ｃの断面形状を上記台形歪みに対応して修正している。
【００３１】
図８は、液晶ライトバルブ３１とロッドインテグレータ１２１ｃとの配置関係を説明する図である。この場合、液晶ライトバルブ３１の有効画素領域３１ｆにおける歪んだ八角形の被投射領域１３１ｇの画素が歪んでいない八角形の投射領域１８ａ（図７（ａ）参照）に投射される。なお、この被投射領域１３１ｇは、透過型スクリーン部材１８の投射領域１８ａを液晶ライトバルブ３１に対して逆に投影したものである。このため、ロッドインテグレータ１２１ｃの射出ポートＯＰの形状を液晶ライトバルブ３１の被投射領域１３１ｇの形状に対して相似にしている。さらに、ロッドインテグレータ１２１ｃの射出ポートＯＰのサイズを被投射領域１３１ｇよりもわずかに大きくする。この結果、ロッドインテグレータ１２１ｃから射出した照明光をほとんど無駄なく液晶ライトバルブ３１の歪んだ被投射領域１３１ｇに入射させることができ、ここを均一に照明することができる。
【００３２】
以上は、液晶ライトバルブ３１に対するロッドインテグレータ１２１ｃの形状及び配置の説明であったが、他の液晶ライトバルブ３３，３５に対するロッドインテグレータ１２３ｃ，１２５ｃの形状及び配置も上記と同様であり、両ロッドインテグレータ１２３ｃ，１２５ｃから射出した照明光をほとんど無駄なく両液晶ライトバルブ３３，３５の被投射領域に入射させることができ、これらを均一に照明することができる。
【００３３】
以上、実施形態に即して本発明を説明したが、本発明は上記実施形態に限定されるものではない。例えば、上記実施形態では、透過型スクリーン部材１８に設ける投射領域１８ａを直線（折れ線）で結んだ輪郭を有するものとしているが、かかる投射領域を長円や楕円等の曲線からなる輪郭を有するものとすることもできる。この場合、図９に概念的に説明するように、ロッドインテグレータ２２１ｃを長円や楕円等の曲線からなる輪郭の断面とする。つまり、ロッドインテグレータ２２１ｃの射出ポートＯＰは、液晶ライトバルブ３１の本体部分３１ａに設けた有効画素領域３１ｆのうち、楕円からなる輪郭の被投射領域２３１ｇと相似形状となっており、そのサイズは、被投射領域２３１ｇのサイズよりもわずかに大きくなっている。なお、同図において、被投射領域２３１ｇは、透過型スクリーン部材の投射領域と相似形となっている。
【００３４】
また、各色光照明装置２１，２３，２５における集光レンズアレイ２１ｂ，２３ｂ，２５ｂの形状及び構造も、プロジェクタの仕様に応じて適宜変更することができる。これにより、各色のロッドインテグレータ２１ｃ，２３ｃ，２５ｃに入射させる照明光の入射角範囲を調節することができ、結果的に、各色の液晶ライトバルブ３１，３３，３５に入射させる照明光の視野角範囲をある程度自由に制御することができる。
【００３５】
また、第１偏光フィルタ２６ａ，２６ｂ，２６ｃは、各色のロッドインテグレータ２１ｃ，２３ｃ，２５ｃの射出ポートＯＰと、各色の液晶ライトバルブ３１，３３，３５との間に配置されているが、これを、入射ポートＩＰ側やロッドインテグレータ２１ｃ，２３ｃ，２５ｃ内に配置することもできる。
【００３６】
また、ロッドインテグレータ２１ｃ，２３ｃ，２５ｃは、中実のものに限らず、中空のものとすることができる。この場合、中空断面の内面輪郭が液晶ライトバルブ３１の被投射領域２３１ｇの輪郭に対応するものとする。
【００３７】
また、プロジェクタ１０として、白色光源からの光源光をミラー等で集光してロッドインテグレータの入射端に入射させて、ロッドインテグレータの射出端で均一な照明光を得るとともに、この照明光によって、ロッドインテグレータの射出端に対面配置した単一のカラー表示型の液晶ライトバルブを直接照明することもできる。この場合も、上記実施形態のようなロッドインテグレータ２１ｃ等を用いることで、白色光源からの光源光を効率的に利用することができるとともに、液晶ライトバルブの有効画素領域を均一かつ効率的に照明することができる。
【００３８】
また、上記実施形態では、ロッドインテグレータ２１ｃ，２３ｃ，２５ｃの射出端ＯＰを各液晶ライトバルブ３１，３３，３５に近接して対向配置しているが、各射出端ＯＰと各液晶ライトバルブ３１，３３，３５との間にレンズ等を介在させることもでき、各射出端ＯＰの縮小像または拡大像を各液晶ライトバルブ３１，３３，３５上の被投射領域に投影することができる。
【図面の簡単な説明】
【００３９】
【図１】（ａ）、（ｂ）は、第１実施形態のプロジェクタを説明する図である。
【図２】プロジェクタ本体の構造を概念的に説明するブロック図である。
【図３】（ａ）、（ｂ）は、プロジェクタの本体部分の平面図及び側面図である。
【図４】ロッドインテグレータの形状を説明する斜視図である。
【図５】液晶ライトバルブの正面図である。
【図６】液晶ライトバルブとロッドインテグレータとの配置関係を説明する図である。
【図７】（ａ）、（ｂ）は、第２実施形態のプロジェクタを説明する図である。
【図８】液晶ライトバルブとロッドインテグレータとの配置関係を説明する図である。
【図９】第１実施形態の変形例を説明する斜視図である。
【符号の説明】
【００４０】
１０…プロジェクタ、  １４…プロジェクタ本体、  １６…反射ミラー、  １８…透過型スクリーン部材、  １８ａ…投射領域、  ２０…照明装置、  ２１…Ｂ光照明装置、  ２１ａ…Ｂ光用光源ユニット、  ２１ｃ，２３ｃ，２５ｃ…ロッドインテグレータ、  ２３…Ｇ光照明装置、  ２３ａ…Ｇ光用光源ユニット、  ２５…Ｒ光照明装、  ２５ａ…Ｒ光用光源ユニット、  ２７…光源駆動装置、  ３０…光変調装置、  ３１，３３，３５…液晶ライトバルブ、  ３１ｆ…有効画素領域、  ３１ｇ…被投射領域、  ３７…クロスダイクロイックプリズム、  ３８…素子駆動装置、  ４０…投射レンズ、  ５０…制御装置
【図１】
2005128234.tif 000003
【図２】
2005128234.tif 000004
【図３】
2005128234.tif 000005
【図４】
2005128234.tif 000006
【図５】
2005128234.tif 000007
【図６】
2005128234.tif 000008
【図７】
2005128234.tif 000009
【図８】
2005128234.tif 000010
【図９】
2005128234.tif 000011